(57)【要約】【課題】表示装置を回転可能に取付ける際の作業を簡単に行うことができ、表示装置をスムーズに回転させて左右９０°での回転の位置決めが可能で、表示装置と設置部材との間隙を小さくできる表示装置の回転機構を提供する。【解決手段】表示装置１の背面に、第１回転部材４１と半円状ガイド部材３０とが同軸となるように設けられ、また、第２回転部材４２が半円状ガイド部材の外周部に接するように設けられている。半円状ガイド部材３０を設置部材である例えば壁６０に水平に設けた支持部材５０に取付ける。表示装置１を横長画面となる横置きの状態から縦長画面となる縦置きの状態となるように、第１回転部材４１を中心に左右に回転させた際、支持部材５０の両端の回転阻止端面５３，５４が上側背面キャビネット２１の突起部に設けた回転阻止面５３，５４に当接するため、表示装置１が９０°を超えて回転することがない。【選択図】図７
2014115459.tif 000002
【特許請求の範囲】
【請求項１】
短辺と長辺とを有し縦横の比が異なる表示装置の回転機構であって、
前記表示装置の背面中央部に設けた第１の回転部材と、
該第１の回転部材から前記短辺に平行な前記表示装置の上部位置に設けた第２の回転部材と、
前記第１の回転部材と同軸に設けられ、該第１の回転部材を中心に前記表示装置を回転させた際に、外周部が前記第２の回転部材に接する半円状ガイド部材と、
前記表示装置の設置部材側に設けられ、前記半円状ガイド部材の底面部を水平に支持する支持部材を有し、
前記表示装置を横長画面となる横置きの状態から縦長画面となる縦置きの状態となるように、前記第１の回転部材を中心に左右に回動させた際に、前記表示装置側に設けた部材と当接することにより前記表示装置の９０°を超える回転を阻止する回転阻止部を、前記支持部材の両端部に設けたことを特徴とする表示装置の回転機構。
【請求項２】
前記回転阻止部が前記支持部材の水平方向両端の端面から構成され、前記表示装置を横置きから縦置きの状態となるように回転させた際に、前記表示装置側の背面キャビネットに設けた回転阻止面と当接することを特徴とする請求項１に記載の表示装置の回転機構。
【請求項３】
前記回転阻止部が前記支持部材の両端部の上側面から構成され、前記表示装置を横置きから縦置きの状態となるように回転させた際に、前記表示装置に設けた前記第２の回転部材と当接することを特徴とする請求項１に記載の表示装置の回転機構。
【請求項４】
前記第１の回転部材は、前記半円状ガイド部材の底面の中央部に設けた軸受部と、前記支持部材の上面中央部に設けた軸受部とによって、回転可能に挟持されることを特徴とする請求項１から３のいずれか１に記載の表示装置の回転機構。
【請求項５】
前記半円状ガイド部材の外周部に沿って溝が形成され、前記第２の回転部材に設けたつば部が前記溝内に位置することを特徴とする請求項１から４のいずれか１に記載の表示装置の回転機構。
【発明の詳細な説明】
【技術分野】
【０００１】
本発明は表示装置の回転機構に関し、詳しくは、薄型の表示装置を横置きまたは縦置きにする場合に適した表示装置の回転機構に関する。
【背景技術】
【０００２】
近年、液晶パネル等の表示装置の薄型化が一般化し、液晶パネルは６０型以上の超大型画面化が一般的となっている。また、画面の大型化と併せて、映像ソースの多様化も進み、例えば写真鑑賞や商業・公共等のための表示画像として、表示画面を通常の横長画面とする横置きから縦長画面とする縦置きの形態も増加している。そして、このような状況に対応するための画面回転機構が提案されている。
【０００３】
例えば、特許文献１には、ディスプレイ回転機構として、ボールベアリングを介して回転可能に嵌合させた２つのリング状部材を備えたものが開示されている。そして、このディスプレイ回転機構では、回転部取付板を介して一方のリング状部材をディスプレイの背面中央部付近に取付け、また、固定部取付板を介して他方のリング状部材を壁又はスタンド等のディスプレイ被固定側に取付けるようにしている。このため、特許文献１に開示されたディスプレイ回転機構では、ディスプレイを被固定側に対して３６０°回転可能にすることが可能となっている。
【先行技術文献】
【特許文献】
【０００４】
【特許文献１】特開２００３−１５７０１６号公報
【発明の概要】
【発明が解決しようとする課題】
【０００５】
しかしながら、特許文献１に開示されたディスプレイ回転機構では、リング状の部材を回転取付板に取付け、更にこの回転部取付板をディスプレイに取付ける必要があるととともに、リング状部材を固定部取付板に取付け、更にこの固定部取付板を壁掛け金具やスタンドを取付ける必要あった。このため、取付の作業に時間がかかり、例えば壁面に取付ける際には、表示装置と壁面との空間で取り付け作業を行わなければならないため、取り付け作業を簡単に行うことはできなかった。また、画面回転止めや回転制約のための機構をリング状部材間に設ける場合は複雑な機構が必要であった。さらに、壁から表示装置の間に配設される部材が多いため、表示装置と壁との間隙が広くなっていた。
【０００６】
本発明は、これらの実情に鑑みてなされたものであり、壁やスタンド等の設置部材に対して表示装置を回転可能に取付ける際の作業性がよく、表示装置をスムーズに回転させて左右９０°での回転の位置決めが容易にでき、さらに、表示装置と設置部材との隙間を小さくできる表示装置の回転機構を提供することをその目的とする。
【課題を解決するための手段】
【０００７】
上記課題を解決するために、本発明の第１の技術手段は、短辺と長辺とを有し縦横の比が異なる表示装置の回転機構であって、前記表示装置の背面中央部に設けた第１の回転部材と、該第１の回転部材から前記短辺に平行な前記表示装置の上部位置に設けた第２の回転部材と、前記第１の回転部材と同軸に設けられ、該第１の回転部材を中心に前記表示装置を回転させた際に、外周部が前記第２の回転部材に接する半円状ガイド部材と、前記表示装置の設置部材側に設けられ、前記半円状ガイド部材の底面部を水平に支持する支持部材を有し、前記表示装置を横長画面となる横置きの状態から縦長画面となる縦置きの状態となるように、前記第１の回転部材を中心に左右に回動させた際に、前記表示装置側に設けた部材と当接することにより前記表示装置の９０°を超える回転を阻止する回転阻止部を、前記支持部材の両端部に設けたことを特徴としたものである。
【０００８】
第２の技術手段は、第１の技術手段において、前記回転阻止部が前記支持部材の水平方向両端の端面から構成され、前記表示装置を横置きから縦置きの状態となるように回転させた際に、前記表示装置側の背面キャビネットに設けた回転阻止面と当接することを特徴としたものである。
【０００９】
第３の技術手段は、第１の技術手段において、前記回転阻止部が前記支持部材の両端部の上側面から構成され、前記表示装置を横置きから縦置きの状態となるように回転させた際に、前記表示装置に設けた前記第２の回転部材と当接することを特徴としたものである。
【００１０】
第４の技術手段は、第１から３のいずれか１の技術手段において、前記第１の回転部材は、前記半円状ガイド部材の底面の中央部に設けた軸受部と、前記支持部材の上面中央部に設けた軸受部とによって、回転可能に挟持されることを特徴としたものである。
【００１１】
第５の技術手段は、第１から４のいずれか１の技術手段において、前記半円状ガイド部材の外周部に沿って溝が形成され、前記第２の回転部材に設けたつば部が前記溝内に位置することを特徴としたものである。
【発明の効果】
【００１２】
本発明によれば、表示装置に設けた半円状ガイド部材と設置部材側に設けた支持部材とによって、表示装置の背面中央部を軸支し、表示装置を横置きの状態から縦置きの状態となるように第１の回転部材を中心に回動させた際に、支持部材の両端部に設けた回転阻止部によって、表示装置の９０度より大きな回転を阻止するとともに、表示装置に設けた第２の回転部材を半円状ガイド部材の外周部に接するようにしているため、壁やスタンド等の設置部材に対して表示装置を取付ける際の作業を簡単に行うことができる。また、本発明の表示装置の回転機構は、表示装置をスムーズに回転させて左右９０°の回転の位置決めが容易にでき、さらに、表示装置と壁との隙間を小さくできる。
【図面の簡単な説明】
【００１３】
【図１】本発明に係る表示装置の回転機構の一例における組み立て順序を説明するための図である。
【図２】本発明に係る表示装置の回転機構の一例における組み立て順序を説明するための図である。
【図３】本発明に係る表示装置の回転機構の一例における半円状ガイド部材と第１、第２回転部材の関係を示す図である。
【図４】本発明に係る表示装置の回転機構の一例における組み立て順序を説明するための図である。
【図５】本発明に係る表示装置の回転機構の一例における組み立て順序を説明するための図である。
【図６】本発明に係る表示装置の回転機構の一例における半円状ガイド部材と支持部材の関係を示す図である。
【図７】本発明に係る表示装置の回転機構の一例を用いて表示装置を壁に取付ける方法を説明するための図である。
【図８】本発明に係る表示装置の回転機構の一例における組み立て順序を説明するための図である。
【図９】図８に示す表示装置を背面から見て９０°左回転させて縦置きにした図である。
【図１０】図８に示す表示装置を背面から見て９０°右回転させて縦置きにする場合を説明するための図である。
【図１１】本発明に係る表示装置の回転機構の他の例における組み立て順序を説明するための図である。
【図１２】本発明に係る表示装置の回転機構の他の例における半円状ガイド部材と支持部材の関係を示す図である。
【図１３】本発明に係る表示装置の回転機構の他の例における組み立て順序を説明するための図である。
【図１４】図１３に示す表示装置を背面から見て９０°右回転させて縦置きにした図である。
【図１５】図１３に示す表示装置を背面から見て９０°右回転させて縦置きにする場合を説明するための図である。
【図１６】図１３に示す表示装置を背面から見て９０°左回転させて縦置きにした図である。
【図１７】本発明に係る表示装置の回転機構の支持部材がスタンドの一部を構成している図である。
【図１８】本発明に係る表示装置の回転機構の支持部材をイーゼル型のスタンドに取付けた場合の図である。
【発明を実施するための形態】
【００１４】
以下、図面を参照しながら、本発明の表示装置の回転機構に係る好適な実施の形態について説明する。表示装置としては、液晶ディスプレイを例に説明するが、プラズマディスプレイや有機ＥＬディスプレイ等の薄型の表示装置であれば、どのような種類の表示装置であってもよい。また、以下の説明において、異なる図面においても同じ符号を付した構成は同様のものであるとして、その説明を省略する場合がある。
【００１５】
（第１の実施形態）
本発明の表示装置の回転機構の第１の実施形態について、回転機構の組み立て順序を通通して説明する。図１、図２、図４、および、図５は、本発明に係る表示装置の回転機構の一例における組み立て順序を説明するための図であり、それぞれ、図１は表示装置の背面に背面キャビネットを取付ける際の図、図２は表示装置に半円状ガイド部材と回転部材を取付ける際の図であり、図２（Ａ）は斜視図、図２（Ｂ）は側面図を示す。また、図４は表示装置に半円状ガイド部材と回転部材を取付けた後の図、図５は半円状ガイド部材を支持部材に取付ける際の図である。また、図３は、本発明に係る表示装置の回転機構の一例における半円状ガイド部材と第１、第２回転部材の関係を示す図である。
【００１６】
図１で示すように、横長の画面を有する表示装置１の背面には、例えば、上側にＴＶ基板１３、ＬＥＤ駆動基板、下側にパネルソース基板１５が設けられており、これらの基盤部分を覆うように上側背面キャビネット２１および下側背面キャビネット２２が設けられる。また、表示装置１の背面中央には、第１突起軸１１が設けられており、さらに、第１突起軸１１の上部（表示装置１の短辺方向上側）の位置に第２突起軸１２が設けられている。第１突起軸１１および第２突起軸１２は、金属製のカシメボスによって形成することができる。ここで、第１突起軸１１は後述する第１回転部材４１を軸支するためのものであり、第２の突起軸１２は第２回転部材４２を軸支するためのものである。また、第１突起軸１１と第２突起軸１２の間隔は、後述する半円状ガイド部材３０のほぼ半径と等しくなっている。
【００１７】
上側背面キャビネット２１の中央部には、第２突起軸１２を挟む両側の位置に第１突出部２５と第２突出部２６とが形成されている。第１突出部２５の先端面および第２突出部２６の先端面は、後述するように、表示装置１を回転させた際に支持部材５０の両端部の水平方向の端面と当接することにより、表示装置１が左右９０°を超えて回転しないようにするための第１回転阻止面２３および第２回転阻止面２４として機能する。
【００１８】
表示装置１の背面には、第１回転部材４１、第２回転部材４２、および、半円状ガイド部材３０が取付けられる。図３に示すように、半円状ガイド部材３０は外周部３６と底面部３７を有する半円状の部材であり、底面部３７の中央部に半円状の切欠きからなる第１回転部材軸受部３１が形成されている。第１回転部材軸受部３１には、内面の周方向に沿って溝３２が形成されており、また、外周部３６にも周方向に沿って溝３３が形成されている。また、半円状ガイド部材３０の底面部３７には、後述する支持部材５０への取り付けのための、第１挿入孔３４、第２挿入孔３５が形成されている。
【００１９】
第１回転部材４１は円筒状の部材であり軸方向中央部につば部４３を有している。同様に、第２回転部材４２も円筒状の部材であり軸方向中央部につば部４４を有している。そして、図２（Ａ）、（Ｂ）で示すように、第１回転部材４１のつば部４３を半円状ガイド部材３０の第１回転部材軸受部３１の溝３２内に位置させるとともに、第２回転部材４２のつば部４４を半円状ガイド部材３０の外周部３６の溝３３内に位置させた状態で、第１回転部材４１および第２回転部材４２をそれぞれ表示装置１の第１突起軸１１および第２突起軸１２に挿入し、ネジ４５によって、第１回転部材４１および第２回転部材４２をそれぞれ第１突起軸１１および第２突起軸１２に固定する。
【００２０】
ここで、第１回転部材４１のつば部４３が半円状ガイド部材３０の１回転部材軸受部３１の溝３２内に位置しており、第２回転部材４２のつば部４４が半円状ガイド部材３０の外周部３６の溝３３内に位置しているため、組み立て時に半円状ガイド部材３０をほぼ水平状態にしておけば、図４に示すように、摩擦力によって半円状ガイド部材３０が表示装置１の背面から離脱することを防ぐことができる。
【００２１】
次に、半円状ガイド部材３０を取付けた表示装置１を、設置部材に取付ける方法について説明する。図６は、本発明に係る表示装置の回転機構の一例における半円状ガイド部材と支持部材の関係を示す図である。図５、図６に示すように、支持部材５０は、その形状がほぼ四角柱をしており、中央部の上面には半円状の切欠きからなる第１回転部材軸受部５５が形成されている。また、第１回転部材軸受部５５には、内面の周方向に沿って溝５６が形成されており、この溝５６内に第１回転部材４１のつば部４３が位置できるようになっている。なお、図５，６に示す支持部材５０は、支持部材５０の上面の長手方向全体に亘って溝が形成されているが、溝は少なくとも第１回転部材４１のつば部４３が位置する部分にのみ形成されていればよく、長手方向全体に亘って形成する必要はない。
【００２２】
支持部材５０の上部には、半円状ガイド部材３０の底面部３７に形成した第１挿入孔３４および第２挿入孔３５にそれぞれ嵌合可能な第１突起５１および第２突起５２が設けられている。また、支持部材５０の長手方向の長さは、半円状ガイド部材３０の底面部３７の長さ、すなわち、半円状ガイド部材３０の直径と等しくなっている。このため、支持部材５０の長手方向の両端面は、後述するように、表示装置１の左右９０°を超える回転を阻止するための第１回転阻止端面５３および第２回転阻止端面５４として機能する回転阻止部となる。
【００２３】
図７は、本発明に係る表示装置の回転機構の一例を用いて表示装置を壁に取付ける方法を説明するための図であり、表示装置１の壁への取付け時には、図７に示すように、予め、支持部材５０を、例えば設置部材側となる壁６０に対してビス５９等により取付けておく。この場合、第１突起５１および第２突起５２が上方を向くようにし、支持部材５０の長手方向が水平となるように取付ける。そして、表示装置１の背面側を壁６０に向け、半円状ガイド部材３０の第１挿入孔３４に支持部材５０の第１突起５１を嵌合し、また、半円状ガイド部材３０の第１挿入孔３４に支持部材５０の第２突起５２を嵌合することにより、表示装置１を壁６０に固定する。
【００２４】
図８は、本発明に係る表示装置の回転機構の一例における組み立て順序を説明するための図であり、半円状ガイド部材を支持部材５０に取付けた後の図を示している。なお、図８において壁は図示しておらず、以下の図においても同様である。図８で示すように、第１回転部材４１は半円状ガイド部材３０の第１回転部材軸受部３１と支持部材５０の第１回転部材軸受部５５によって挟持されるため、表示装置１は確実に軸支される。また、表示装置１に固着された第１回転部材４１のつば部４３は、半円状ガイド部材３０の第１回転部材軸受部３１に形成した溝３２内と支持部材５０の第１回転部材軸受部５５に形成した溝５６内に位置するため、第１回転部材４１が支持部材５０の第１回転部材軸受部５５から外れることがない。したがって、表示装置１は支持部材５０から外れることがない。また、表示装置１に取付けた半円状ガイド部材３０の底面部３７は支持部材５０の長手方向と同様に水平に支持される。そして、表示装置１は、第１回転部材４１を中心に半円状ガイド部３０と支持部材５０に対して回転可能に軸支される。
【００２５】
図９は、図８に示す表示装置を背面から見て９０°左回転させて縦置きにした図である。図９に示すように、表示装置１を回転させて縦置きにする場合、表示装置１に設けた第２回転部材４２が、半円状部材３０の外周部３６に沿って移動するため、表示装置１がぶれることなく回転をスムーズに行うことができる。この場合、第２回転部材４２の円筒状部分が半円状ガイド部材３０の外周部３６に接した状態で回転するようにしてもよく、また、第２回転部材４２のつば部４４が半円状ガイド部材３０の外周部３６の溝３３に接した状態で回転するようにしてもよい。あるいは、第２回転部材４２の円筒状部分とつば部４４の両者が半円状ガイド部材３０の外周部３６と溝３３に接した状態で回転するようにしてもよい。そして、表示装置１を９０°左回転させると、表示装置１の上側背面キャビネット２１に設けた第１突起２５の第１回転阻止面２３と支持部材５０の第１回転阻止端面５３とが当接するため、表示装置１が９０°を超えて回転することが阻止されるようになっている。
【００２６】
図１０は、図８に示す表示装置を背面から見て９０°右回転させて縦置きにする場合を説明するための図である。図１０（Ａ）に示す横置きの状態から、表示装置１を背面から見て右向きに回転させると、図１０（Ｂ）で示すように、表示装置１は回転部材４１取付けた第１突起軸１１（図１０では図示せず）を中心に回転する。そして、表示装置１を図１０（Ａ）の横置きの状態から右へ９０°回転させて、図１０（Ｃ）の縦置きの状態になった時に、第１背面キャビネット２６に設けた第２突起２６の第２回転阻止面２４が支持部材５０の第２回転阻止端面５４に当接する。ここで、第１回転部材４１の中心から支持部材５０の第２回転阻止面２４の下端までの距離ｄが半円状ガイド部材の半径ｒよりも大きいため、表示装置１が９０°を超えて回転することがない。
【００２７】
（第２の実施形態）
次に、本発明の表示装置の回転機構の第２の実施形態について、回転機構の組み立て順序を通して説明する。図１１、図１３は本発明に係る表示装置の回転機構の他の例における組み立て順序を説明するための図であり、図１１は半円状ガイド部材を支持部材に取付ける際の図であり、図１３は表示装置に半円状ガイド部材と回転部材を取付けた後の図である。また、図１２は、本発明に係る表示装置の回転機構の一例における半円状ガイド部材と第１、第２回転部材の関係を示す図である。
【００２８】
第２の実施形態に係る表示装置１’は、第１の実施形態に係る表示装置１に比べて、背面キャビネットを有していないか、あるいは、１枚で構成された背面キャビネットの背面部全体が平面状である点で異なるが、他の構成は第１の実施形態に係る表示装置１と同じである。そして、表示装置１’に取り付ける第１回転部材４１、第２回転部材、および、半円状ガイド部材３０についても、第１の実施形態の場合と同様であるため、その説明を省略する。ただし、第２の実施形態では背面キャビネットを有していないため、半円状ガイド部材３０を第１の実施形態の場合よりも大きな半径のものとすることが可能である。
【００２９】
そして、第２の実施形態では、支持部材５０’が第１の実施形態の場合と異なっている。図１１、図１２で示すように、第２の実施形態では、支持部材５０’の長手方向の長さは半円状ガイド部材３０の直径よりも長く形成されており、支持部材の両端部の上側面にそれぞれ半円状の切欠きからなる第１凹部５７、第２凹部５８が形成されている。この第１凹部５７、第２凹部５８は、表示装置１を回転させた際に第２回転部材４２の円筒状部分が当接することにより、表示装置１’が左右に９０°を超えて回転することを阻止するための回転阻止部を構成している。
【００３０】
このため、第１回転部材４１から第１凹部５７の第１回円部材４１側までの距離、および、第１回転部材４１から第２凹部５８の第１回転部材４１側までの距離は、半円状ガイド部材３０の半径と等しくなるように形成されている。また、第１凹部５７、第２凹部５８には、第２回転部材４２のつば部４４が位置するようにそれぞれ溝５７’、溝５８’が形成されている。そして、図１３に示すように、表示装置１’に設けた半円状ガイド部材３０を支持部材５０’に取付けた際に、半円状ガイド部材３０の外周部３６に設けた溝３３が、それぞれ第１凹部５７に設けた溝５７’および第２凹部５８に設けた溝５８’と連なるようになっている。
【００３１】
図１４は、図１３に示す表示装置を背面から見て９０°右回転させて縦置きにした図である。また、図１５は、図１３に示す表示装置を背面から見て９０°右回転させて縦置きにする場合を説明するための図である。図１５（Ａ）に示す横置きの状態から、表示装置１’を背面から見て右向きに回転させると、図１５（Ｂ）で示すように、表示装置１’は回転部材４１取付けた第１突起軸１１（図１０では図示せず）を中心に回転する。そして、表示装置１を図１５（Ａ）の横置きの状態から右へ９０°回転させて、図１５（Ｃ）の縦置きの状態になった時に、第２回転部材４２が支持部材５０’に設けた第２凹部５８に当接する。このように、支持部材５０’に設けた第２凹部５８は、表示装置１’が９０°を超えて右回転すること防いでいる。この時に、第２回転部材４２のつば部４４は、その一部が第２凹部５８に設けた溝５８’内に位置している。
【００３２】
図１６は、図１３に示す表示装置を背面から見て９０°左回転させて縦置きにした図であり、右回転の場合と同様に、表示装置１’を背面から９０°右回転させた際に、第２回転部材４２が支持部材５０’に設けた第１凹部５７に当接し、表示装置１’が９０°を超えて左回転すること防いでいる。この時に、第２回転部材４２のつば部４４は、その一部が第１凹部５７に設けた溝５７’内に位置している。
【００３３】
次に、第１実施形態では、表示装置の設置部材として壁を例に説明したが、例えば、図１７に示すように、支持部材５０をスタンド７１の一部として構成することができる。さらに、図１８に示すように、支持部材５０をイーゼル型のスタンドに取付けるようにしてもよい。このことは、第２実施形態で説明した支持部材５０’についても同様である。このように、本発明の表示装置の回転機構では、支持部材５０を種々の設置部材の一部として構成したり、あるいは別体として取付けることにより、種々の設置部材に適用することができる。また、上記の説明では、半円状ガイド部材３０と支持部材の固着構造として、半円状ガイド部材側に挿入孔を設け、支持部材側に突起を設けるようにしたが、半円状ガイド部材側に突起を設け、支持部材側に挿入孔を設けるようにしてもよく、別の固着構造を用いてもよい。
【００３４】
以上で説明したように、本発明に係る表示装置の回転機構は、短辺と長辺とを有し縦横の比が異なる表示装置の回転機構であって、前記表示装置の背面中央部に設けた第１の回転部材と、該第１の回転部材から前記短辺に平行な前記表示装置の上部位置に設けた第２の回転部材と、前記第１の回転部材と同軸に設けられ、該第１の回転部材を中心に前記表示装置を回転させた際に、外周部が前記第２の回転部材に接する半円状ガイド部材と、前記表示装置の設置部材側に設けられ、前記半円状ガイド部材の底面部を水平に支持する支持部材を有し、前記表示装置を横長画面となる横置きの状態から縦長画面となる縦置きの状態となるように前記第１の回転部材を中心に回動させた際に、前記表示装置側の部材と当接することにより前記表示装置の９０度より大きな回転を阻止する回転阻止部を、前記支持部材の両端部に設けている。これにより、壁やスタンド等の設置部材に対して表示装置を取付ける際の作業を簡単に行うことができるとともに、表示装置をスムーズに回転させて左右９０°での回転の位置決めが容易にでき、さらに、表示装置と壁との隙間を小さくできる。
【００３５】
また、前記回転阻止部が前記支持部材の水平方向両端の端面から構成され、前記表示装置を横置きから縦置きの状態となるように回転させた際に、前記表示装置側の背面キャビネットに設けた回転阻止面と当接するようにしてもよい。ここで、前記支持部材の水平方向の長さが、前記半円状ガイド部材の直径と等しくなるようにする。これにより、支持部材と背面キャビネットとが協働して表示装置の左右９０°の回転の位置決めを行うことができる。
【００３６】
また、前記回転阻止部が前記支持部材の両端部の上側面から構成され、前記表示装置を横置きから縦置きの状態となるように回転させた際に、前記表示装置に設けた第２の回転部材と当接するようにしてもよい。この場合、前記支持部材の両端部の上端面に前記第２の回転部材を受ける凹部が形成されるようにする。これにより、支持部材と第２の回転部材とが協働して表示装置の左右９０°の回転の位置決めを行うことができる。
【００３７】
また、前記第１の回転部材は、前記半円状ガイド部材の底面の中央部に設けた軸受部と、前記支持部材の上面中央部に設けた軸受部とによって、回転可能に挟持されるようにしてもよい。これにより、回転部材を確実に軸支することができる。
【００３８】
また、前記半円状ガイド部材の底面の中央部に設けた軸受部と前記支持部材の上面中央部に設けた軸受部とにそれぞれ溝が形成され、前記第１の回転部材に設けたつば部が前記溝内に位置するようにしてもよい。これにより、表示装置に設けた回転部材が、支持部材から離脱することを防ぐことができる。
【００３９】
また、前記半円状ガイド部材の外周部に沿って溝が形成され、前記第２の回転部材に設けたつば部が前記溝内に位置するようにしてもよい。これにより、半円状ガイド部材が表示装置から離脱するのを防止することができる。
【００４０】
また、前記半円状ガイド部材の底面部に挿入孔または突起を設けるとともに、該挿入孔または突起に嵌合可能な突起または挿入孔を前記支持部材に設けるようにしてもよい。これにより、表示装置に設けた半円状ガイド部材を設置部材に設けた支持部材に容易に取り付けることが可能となる。
【００４１】
また、前記表示装置の設置部材が壁面であり、前記支持部材が前記壁面に取り付けられていてもよく、あるいは、前記表示装置の設置部材がスタンドであり、前記支持部材が前記スタンドの一部を構成していてもよい。これにより、表示装置を種々の設置部材に回転可能に取り付けることが可能となる。
【符号の説明】
【００４２】
１，１’…表示装置、１１…第１突起軸、１２…第２突起軸、１３…ＴＶ基板、１４…ＬＥＤ駆動基板、１５…パネルソース基板、２１…上部背面キャビネット、２２…下部背面キャビネット、２３…第１回転阻止面、２４…第２回転阻止面、２５…第１突出部、２６…第２突出部、３０，３０’…半円状ガイド部材、３１…第１回転部材軸受部、３２，３３…溝、３４…第１挿入孔、３５…第２挿入孔、３６…外周部、３７…底面部、４１…第１回転部材、４２…第２回転部材、４３，４４…つば部、４５…ネジ、５０，５０’…支持部材、５１…第１突起、５２…第２突起、５３…第１回転阻止端面、５４…第２回転阻止端面、５５…第１回転部材軸受部、５６…溝、５７…第１凹部、５８…第２凹部、５７’，５８’…溝、５９…ネジ、６０…壁、７１…スタンド、７２…イーゼル型スタンド。
【図１】
2014115459.tif 000003
【図２】
2014115459.tif 000004
【図３】
2014115459.tif 000005
【図４】
2014115459.tif 000006
【図５】
2014115459.tif 000007
【図６】
2014115459.tif 000008
【図７】
2014115459.tif 000009
【図８】
2014115459.tif 000010
【図９】
2014115459.tif 000011
【図１０】
2014115459.tif 000012
【図１１】
2014115459.tif 000013
【図１２】
2014115459.tif 000014
【図１３】
2014115459.tif 000015
【図１４】
2014115459.tif 000016
【図１５】
2014115459.tif 000017
【図１６】
2014115459.tif 000018
【図１７】
2014115459.tif 000019
【図１８】
2014115459.tif 000020